(57)【要約】【課題】天板を安定して支持することができるとともに、天板の傾斜角度の変更作業を、自然な動作で楽に行うことができ、しかも、天板の下方に、大きい空間を形成できるようにした机を提供する。【解決手段】脚体２より前方に向けて延出する天板支持体６の前端部に、天板２０の重心Ｇより前方の部分を、左右方向を向く軸２２をもって枢着し、天板２０の重心Ｇより後方の部分と、天板支持体６とに、油圧ロック付きガススプリング２３の各端部を連結し、ガススプリング２３の油圧ロック解除操作装置を、天板２０の前部下面に設ける。【選択図】  図５
2007037926.tif 000002
【特許請求の範囲】
【請求項１】
脚体より前方に向けて延出する天板支持体の前端部に、天板の重心より前方の部分を、左右方向を向く軸をもって枢着し、前記天板の重心より後方の部分と、前記天板支持体とに、油圧ロック付きガススプリングの各端部を連結し、前記ガススプリングの油圧ロック解除操作手段を、前記天板の前部下面に設けたことを特徴とする机。
【請求項２】
天板支持体が、後端部が脚体に、また前端部が昇降体にそれぞれ枢着された上下１対のリンクアームを有する左右１対の平行リンク機構と、左右の昇降体同士を連結する連結杆とを有し、前記リンクアームを上下方向に回動させることにより、前記昇降体が昇降するようにし、前記昇降体に、天板を枢着し、かつ前記連結杆に、ガススプリングの前端部を枢着した請求項１記載の机。
【請求項３】
天板支持体が、側面視においてリンクアームに対して交差する方向を向くようにして、一端が脚体に、かつ他端が連結杆にそれぞれ枢着された昇降用の油圧ロック付きガススプリングを有し、天板の前部における一方の側部の下面に、前記昇降用のガススプリングの油圧ロック解除操作手段を設け、かつ他方の側部の下面に、天板支持用のガススプリングの油圧ロック解除操作手段を設けた請求項２記載の机。
【請求項４】
ガススプリングの油圧ロック解除操作手段が、天板の下面に沿う側方に引かれることにより、ガススプリングのロック状態を解除しうるようにした操作レバーを備えるものとした請求項１〜４のいずれかに記載の机。
【請求項５】
天板の前縁を、後方に向かって凹入する平面視凹円弧状に形成し、かつ天板の両側縁を、平面視において後方に向かってハ字状に拡開させることにより、天板の重心を、天板の前後寸法の中心点より後方に位置させた請求項１〜４のいずれかに記載の机。
【発明の詳細な説明】
【技術分野】
【０００１】
本発明は、天板の傾斜角度を調節可能とした机に関する。
【背景技術】
【０００２】
従来のこの種の机としては、例えば、両端が支脚と可動部材(天板)とに枢着されて、可動部材を支承する平行リンクと、この平行リンクに支持されて、可動部材の傾斜角度を摩擦力でロックするロック手段と、支脚と可動部材との間に取り付けられ可動部材の昇降および回動を助成する付勢手段とを備え、平行リンクを回動させることにより、可動部材を昇降させることができ、またロック手段を解除操作することにより、可動部材の傾斜角度を変更させることができるようにしたものがある(例えば特許文献１参照)。
【特許文献１】特開昭６２−４９８０７号公報
【発明の開示】
【発明が解決しようとする課題】
【０００３】
しかし、上記特許文献１に記載されている装置においては、平行リンクによる可動部材、すなわち天板の支承点と、付勢手段と天板との連結点とが、天板の前部に片寄って設けられているため、天板の支持が不安定であり、天板の後部に重量物を載置したような場合、上記天板の支承点に大きいモーメントが掛かり、天板の後部が下傾したり、上記天板の支承点がある平行リンクの先端部が破損したりするおそれがある。
【０００４】
本発明は、従来の技術が有する上記のような問題点に鑑み、天板を安定して支持することができるとともに、天板の傾斜角度の変更作業を、自然な動作で楽に行うことができ、しかも、天板の下方に、大きい空間を形成できるようにした机を提供することを目的としている。
【課題を解決するための手段】
【０００５】
本発明によると、上記課題は、次のようにして解決される。
(１)  脚体より前方に向けて延出する天板支持体の前端部に、天板の重心より前方の部分を、左右方向を向く軸をもって枢着し、前記天板の重心より後方の部分と、前記天板支持体とに、油圧ロック付きガススプリングの各端部を連結し、前記ガススプリングの油圧ロック解除操作手段を、前記天板の前部下面に設ける。
【０００６】
(２)  上記(１)項において、天板支持体が、後端部が脚体に、また前端部が昇降体にそれぞれ枢着された上下１対のリンクアームを有する左右１対の平行リンク機構と、左右の昇降体同士を連結する連結杆とを有し、前記リンクアームを上下方向に回動させることにより、前記昇降体が昇降するようにし、前記昇降体に、天板を枢着し、かつ前記連結杆に、ガススプリングの前端部を枢着する。
【０００７】
(３)  上記(２)項において、天板支持体が、側面視においてリンクアームに対して交差する方向を向くようにして、一端が脚体に、かつ他端が連結杆にそれぞれ枢着された昇降用の油圧ロック付きガススプリングを有し、天板の前部における一方の側部の下面に、前記昇降用のガススプリングの油圧ロック解除操作手段を設け、かつ他方の側部の下面に、天板支持用のガススプリングの油圧ロック解除操作手段を設ける。
【０００８】
(４)  上記(１)〜(３)項のいずれかにおいて、ガススプリングの油圧ロック解除操作手段が、天板の下面に沿う側方に引かれることにより、ガススプリングのロック状態を解除しうるようにした操作レバーを備えるものとする。
【０００９】
(５)  上記(１)〜(４)項のいずれかにおいて、天板の前縁を、後方に向かって凹入する平面視凹円弧状に形成し、かつ天板の両側縁を、平面視において後方に向かってハ字状に拡開させることにより、天板の重心を、天板の前後寸法の中心点より後方に位置させる。
【発明の効果】
【００１０】
請求項１記載の発明によると、天板の重心より前方の部分を、天板支持体の前端部に枢着し、かつ天板の重心より後方の部分を、油圧ロック付きガススプリングにより支持するようにしてあるので、天板およびその上に載置したものを安定して支持することができる。
すなわち、天板の重心が、天板の回転中心より後方に位置しているので、天板を回動させる際、天板の後部が下降しようとするが、その下降しようとする天板の後部を、ガススプリングにより支承するので、天板を傾斜させた状態でのバランスが好適に保たれ、その結果、天板およびその上に載置したものを安定して支持することができる。
また、上記構成と、ガススプリングの油圧ロック解除操作手段を、天板の前部下面に設けたこととにより、天板の前部を掴んだ手で、ガススプリングの油圧ロック解除操作手段を操作しつつ、天板の前部を昇降させることができ、天板の傾斜角度の変更作業を、自然な動作で楽に行うことができる。
【００１１】
請求項２記載の発明によると、天板の支持機構は、天板の下方の両側部に集約して配設され、天板の中央部の下方には、連結杆(場合によってはガススプリングも)が存在するだけであるので、天板の下方に、使用者の足を収容するための大きな空間を確保することができる。
【００１２】
請求項３記載の発明によると、天板の前部両側部を両手で上下から掴み、その一方の手で、昇降用のガススプリングの油圧ロック解除操作手段を操作し、かつ他方の手で、天板支持用のガススプリングの油圧ロック解除操作手段を操作して、天板の昇降と傾斜角度の調整とを、同時期に、相前後して、自然な動作で楽に行うことができる。
【００１３】
請求項４記載の発明によると、同じ手で、操作レバーを引きつつ、天板を上下から掴むことができるので、操作性がよい。
【００１４】
請求項５記載の発明によると、天板の重心が、天板の前後寸法の中心点より後方に位置するので、天板を、脚体より前方に大きく延出させた状態でも、安定して支持することができるとともに、机の使用時に、天板が、その前端の凹部内に位置した使用者を中心として、ほぼ扇形に展開するので、使い勝手がよく、特に、天板上に多数のＯＡ機器を載置して、マルチ操作する場合等に好適である。
【発明を実施するための最良の形態】
【００１５】
以下、本発明の実施形態を、図面に基づいて説明する。
図１は、本発明の一実施形態の斜視図、図２は、同じく天板と補助天板とを取り除いた支持フレームの斜視図である。
【００１６】
支持フレーム(１)は、側面視倒立Ｔ字状をなす左右１対の脚体(２)(２)と、各脚体(２)の上端に固着され、脚体(２)の一部をなす前後方向を向く支持杆(３)(３)と、左右の支持杆(３)(３)の前端部同士および後端部同士を連結する前後の横連結杆(４)(５)と、左右の支持杆(３)(３)の前部に、前方（以下、図１および図２の斜め左下方を前として説明する）を向くように取付けられた天板支持体(６)とを備えている。
【００１７】
脚体(２)は、前後方向を向くベース脚(2a)と、その中央よりも若干後部側において起立する、平面視概ね楕円形断面の脚柱(2b)とからなっている。ベース脚(2a)の前後の端部の下面には、高さ調整用のアジャスタ(2c)が設けられている。
【００１８】
図５に示すように、後方の横連結杆(５)の前面には、上面が開口する左右方向を向く樋状の配線ダクト(７)が設けられており、その上方には、配線ダクト(７)の上面開口部の前部を覆うように、カバー部材(８)が、左右の支持杆(３)(３)の内面間に、着脱自在に架設されている。
【００１９】
図２〜図４に示すように、上記天板支持体(６)は、左右１対の支持杆(３)(３)の前端部に、上下方向に回動可能に装着された、前方を向く左右１対の平行リンク機構(９)(９)を備えている。
【００２０】
左右の平行リンク機構(９)(９)は、左右の支持杆(３)(３)の前端部に一体的に形成した軸受部(10)(10)により回動自在に枢支され、かつ前方の横連結杆(４)内を挿通する左右方向を向く１本の基軸(11)(図５参照)の各端部に後端部が固嵌された前方を向く第１リンクアーム(12)と、その内方において、後端が支持杆(３)の前端上部に設けられた上向突部(13)に、左右方向を向く枢軸(14)をもって回動自在に枢支された、第１リンクアーム(12)よりも上位に位置する段違いの第２リンクアーム(15)と、第１、第２リンクアーム(12)(15)が互いに平行をなすようにして、その前端部に左右方向を向く軸(16)(17)をもって連結された側面視ほぼＴ字状をなす昇降体(18)とを備えている。
【００２１】
左右の昇降体(18)(18)の上端後部同士は、左右方向を向く連結杆(19)をもって互いに連結されている。
左右の昇降体(18)(18)の上端前部には、天板(20)の下面両側部に固着した前後方向を向くブラケット(21)(21)の前端部が、天板(20)の重心(Ｇ)より前方において、左右方向を向く軸(22)をもって枢着されている。
【００２２】
連結杆(19)の中央部と、横連結杆(４)の中央部とには、連結杆(19)を介して、天板(20)を上昇する方向に付勢する昇降用の油圧ロック付きガススプリング(23)の各端部が、側面視においてガススプリング(23)がリンクアーム(12)(15)に対して交差する方向を向くようにして連結されている。
また、ガススプリング(23)の側方において、横連結杆(４)と、天板(20)における重心(Ｇ)より後方の部分とには、天板(20)の後部を上向きに付勢する天板支持用の油圧ロック付きガススプリング(24)の前後の端部が、左右方向を向く軸(28a)(28b)をもって枢着されている。
【００２３】
図１に示すように、天板(20)の前縁は、後方に向かって凹入する平面視凹円弧状に形成され、天板(20)の後縁は、後方に向かって膨出する平面視凸円弧状に形成され、天板の両側縁は、平面視において後方に向かってハ字状に拡開させられており、天板(20)は、平面視ほぼ扇形をなしている。
より正確には、天板(20)の両側縁は、前方に向かうにしたがって漸次内方に湾曲する円弧面をなしており、その天板(20)の前端部には、若干軟質のエラストマ樹脂等よりなる手置き部(20a)が一体的に形成されている。
手置き部(20a)の外周部は、その下面を斜め外上方を向く傾斜面としてある。
【００２４】
天板(20)をこのような形状としたことにより、天板の重心(Ｇ)は、天板の前後寸法の中心点(Ｃ)より後方に位置し、それによって、天板(20)を、脚体(２)より前方に大きく延出させた状態でも、安定して支持することができる。また机の使用時に、天板(20)が、その前端の凹部内に位置した使用者を中心として、ほぼ扇形に展開するので、使い勝手がよく、特に、天板(20)上に多数のＯＡ機器を載置して、マルチ操作する場合等に好適である。
【００２５】
図５および図６に示すように、天板(20)の下面には、ガススプリング(24)の後端部が嵌合する前後方向に長い凹部(25)と、ガススプリング(24)の前端部における後述する作動レバー(33)の上部等が嵌合する凹部(26)とが設けられている。
ガススプリング(24)の後端部は、凹部(25)内の後端部に設けたブラケット(27)に、左右方向を向く軸(28b)をもって枢着されている。
【００２６】
ガススプリング(23)(24)は、公知の油圧ロック付きのものでよく、図７に示すように、その前端部に設けた突軸状のバルブ(29)を、後述する油圧ロック解除操作手段(30)(31)にワイヤ(32)をもって連結された作動レバー(33)により押動することによって、内蔵されたガス圧またはばね(図示略)の付勢力により、伸張する方向に付勢された状態で、自由に伸縮することができ、バルブ(29)の押動を解除すると、バルブ(29)が突出して、ロック状態に復帰し、そのときの長さのままで伸縮不能となるようになっている。
ワイヤ(32)は、アウターチューブ(34)内を通って、油圧ロック解除操作装置(30)(31)に導かれている。
【００２７】
図７に示すように、昇降用のガススプリング(23)を操作する油圧ロック解除操作装置(30)は、天板(20)の前部における右側部下面に、また天板支持用のガススプリング(24)を操作する油圧ロック解除操作装置(31)は、天板(20)の前部における左側部下面に、それぞれ設けられている。
【００２８】
両油圧ロック解除操作装置(30)(31)は、左右対称の同一構造であり、それぞれが、天板(20)の前部の隅部下面に、その側端縁とほぼ同方向を向くように斜め前後方向に傾斜させて形成された凹部(35)に嵌合され、かつ周縁の鍔部(36a)が天板(20)の下面にねじ止めされた保持枠(36)と、この保持枠(36)内に、上下方向を向く軸(37)をもって枢着され、所要角度だけ回動可能として収容された操作レバー(38)とを備えている。
【００２９】
アウターチューブ(34)における油圧ロック解除操作装置(30)(31)側の端末は、保持枠(36)の内側の側面における前後方向の中間部に支着され、かつその端末から保持枠(36)に向かって延出するワイヤ(32)の端末は、操作レバー(38)における前後方向の中間部に支着されている。
操作レバー(38)における軸(37)から離れた遊端部側の下面には、方形の凹部とした手掛け部(38a)が設けられており、この手掛け部(38a)に指を掛けて、操作レバー(38)を天板(20)の下面に沿って外側方に回動させることにより、ワイヤ(32)を牽引して、ガススプリング(23)(24)をロック解除することができる。
【００３０】
図３〜図５に示すように、天板(20)の後方には、横長の補助天板(39)が、その左右両側部下面に設けた１対の脚杆(40)(40)を、左右の支持杆(３)(３)を貫通して、脚体(２)(２)内に高さ調節可能として嵌合することにより、支持されている。
この補助天板(39)の前縁は、天板(20)の後縁と補形をなすように、平面視において後方に凹入する円弧状をなし、後縁は、天板(20)の後縁と同様に、後方に向かって膨出する平面視凸円弧状をなしている。
【００３１】
この実施形態においては、上記のように、天板(20)の重心(Ｇ)より前方の部分を、天板支持体(６)の前端部に枢着し、かつ天板(20)の重心(Ｇ)より後方の部分を、ガススプリング(24)により支持するようにしてあるので、天板(20)およびその上に載置したものを安定して支持することができる。
【００３２】
すなわち、天板(20)の重心(Ｇ)が、天板(20)の回転中心である軸(22)より後方に位置しているので、天板(20)を回動させる際、天板(20)の後部が下降しようとするが、その下降しようとする天板(20)の後部を、ガススプリング(24)により支承するので、天板(20)を傾斜させた状態でのバランスが好適に保たれ、その結果、天板(20)およびその上に載置したものを安定して支持することができる。
【００３３】
また、上記構成と、ガススプリング(24)の油圧ロック解除操作装置(31)を、天板(20)の前部下面に設けたこととを組み合わせたことにより、天板(20)の前部を掴んだ手で、ガススプリング(24)の油圧ロック解除操作装置(31)を操作しつつ、天板(20)の前部を昇降させて、天板(20)の傾斜角度の変更作業を、自然な動作で楽に行うことができる。
【００３４】
さらに、上記の構成に、ガススプリング(23)とその油圧ロック解除操作装置(30)とを組み合わせたことにより、天板(20)の前部両側部を、両手で上下から掴み、その一方の手で、昇降用のガススプリング(23)の油圧ロック解除操作装置(30)を操作し、かつ他方の手で、天板支持用のガススプリング(24)の油圧ロック解除操作装置(31)を操作して、天板(20)の昇降と傾斜角度の調整とを、同時期に、相前後して、自然な動作で楽に行うことができる。
【００３５】
この天板(20)の支持機構は、天板(20)の下方の両側部に集約して配設され、天板(20)の中央部の下方には、連結杆(19)とガススプリング(23)(24)が存在するだけであるので、天板(20)の下方に、使用者の足を収容するための大きな空間を確保することができる。
【００３６】
また、ガススプリング(23)(24)の油圧ロック解除操作装置(30)(31)が、天板(20)の下面に沿う側方に引かれることにより、ガススプリング(23)(24)のロック状態を解除しうるようにした操作レバー(33)を備えるものとしてあるので、同じ手で、操作レバー(38)を引きつつ、天板(20)を上下から掴むことができるので、操作性がよい。
【００３７】
本発明は、上記実施形態に限定されるものではない。
上記実施形態では、天板(26)を支持する天板支持体(６)を、左右１対の平行リンク機構(９)(９)を備えるものとしてあるが、例えば、左右の脚体(２)(２)の上部より前方に向かって延出する単なるアームとしてもよい。
【００３８】
また、平行リンク機構(９)を上向きに付勢したり、その回動を停止させたりする昇降用のガススプリング(23)を省略し、天板(20)を下限位置と上限位置に停止させうる適宜のストッパ手段を設けてもよい。
【図面の簡単な説明】
【００３９】
【図１】本発明の一実施形態の外観斜視図である。
【図２】同じく、天板と補助天板とを取り除いた支持フレームの斜視図である。
【図３】同じく、天板および補助天板を下限位置としたときの側面図である。
【図４】同じく、天板および補助天板を上昇させたときの側面図である。
【図５】同じく、天板を水平としたときの要部の縦断側面図である。
【図６】同じく、天板を前下がり傾斜状態としたときの要部の縦断側面図である。
【図７】同じく、天板を想像線で示す要部の平面図である。
【符号の説明】
【００４０】
(１)支持フレーム
(２)脚体
(2a)ベース脚
(2b)脚柱
(2c)アジャスタ
(３)支持杆
(４)(５)横連結杆
(６)天板支持体
(７)配線ダクト
(８)カバー部材
(９)平行リンク機構
(10)軸受部
(11)基軸
(12)第１リンクアーム
(13)上向突部
(14)枢軸
(15)第２リンクアーム
(16)(17)軸
(18)昇降体
(19)連結杆
(20)天板
(20a)手置き部
(21)ブラケット
(22)軸
(23)(24)ガススプリング
(25)(26)凹部
(27)ブラケット
(28a)(28b)軸
(29)バルブ
(30)(31)油圧ロック解除操作装置
(32)ワイヤ
(33)作動レバー
(34)アウターチューブ
(35)凹部
(36)保持枠
(36a)鍔部
(37)軸
(38)操作レバー
(38a)手掛け部
(39)補助天板
(40)脚杆
(Ｃ)中心点
(Ｇ)重心
【図１】
2007037926.tif 000003
【図２】
2007037926.tif 000004
【図３】
2007037926.tif 000005
【図４】
2007037926.tif 000006
【図５】
2007037926.tif 000007
【図６】
2007037926.tif 000008
【図７】
2007037926.tif 000009